(57)【要約】【課題】接圧ばねによるばね負荷を安定させ、且つ、組立作業の作業性を向上させたリモコンリレーを提供する。【解決手段】リモコンリレーは、コイルへの通電に応じてプランジャが進退する電磁石装置と、定位置に設けた軸ピンを中心として回転自在に支持され、軸ピンとは異なる位置でプランジャに連結され、プランジャの進退に応じて軸ピンの回りに回転する連動レバー３２を備える。可動接触子４０は、連動レバー３２に保持されて連動レバー３２とともに回転する。連動レバー３２には、コイルばねからなる接圧ばね３５の一端側が保持されるばね受け部３８が設けられ、接圧ばね３５の他端側は可動接触子４０に保持されている。ばね受け部３８には、接圧ばね３５の巻線内に挿入される突起３８ａと、接圧ばね３５の外周部に上下両側から当接して接圧ばね３５の移動を規制するリブ３８ｂ，３８ｂとが設けられている。【選択図】図１
2011249138.tif 000002
【特許請求の範囲】
【請求項１】
コイルへの通電に応じてプランジャが進退する電磁石装置と、
前記プランジャの進退に応じて回転する連動レバーと、
可動接点を有し前記連動レバーに保持されてこの連動レバーとともに回転する可動接触子と、
この可動接触子の回転に応じて前記可動接点と接触又は開離する固定接点と、
コイルばねからなり、前記連動レバーと一体に設けられたばね受け部に一端側が保持されるとともに、他端側が前記可動接触子に保持されて、閉極時に接圧を付与する接圧ばねとを備え、
前記ばね受け部には、前記接圧ばねの外周部に当接して前記接圧ばねの移動を規制する位置規制部が設けられたことを特徴とするリモコンリレー。
【請求項２】
前記位置規制部が、前記可動接触子の回転面内で前記接圧ばねの外周部に両側から当接する２つのリブで構成されたことを特徴とする請求項１記載のリモコンリレー。
【請求項３】
前記位置規制部が、互いに直交する二つの方向においてそれぞれ前記接圧ばねの外周部に両側から当接するリブで構成されたことを特徴とする請求項１記載のリモコンリレー。
【請求項４】
前記接圧ばねの巻線内に挿入されて、前記接圧ばねの一端側を位置決めする突起が、前記ばね受け部に設けられたことを特徴とする請求項１乃至３の何れか１項に記載のリモコンリレー。
【発明の詳細な説明】
【技術分野】
【０００１】
本発明は、リモコンリレーに関するものである。
【背景技術】
【０００２】
従来、例えば特許文献１に示されるようなラッチング形のリモコンリレーが提供されている。
【０００３】
このリモコンリレーは、一巻線型のコイルを有しこのコイルへの通電方向に応じてプランジャが進退する有極電磁石と、プランジャの進退動作に応じて接点部のオン／オフを切り替える開閉機構部とを備えている。
【０００４】
図８（ｃ）は開閉機構部の要部を示しており、開閉機構部は、プランジャ２７の進退に応じて可動接触子４０を揺動させ、接点部ｒ１を開閉させる連動レバー３２と、接圧ばね３５とを備えている。
【０００５】
ここで、接点部ｒ１は、ケースに固定された固定端子板５０に固着された固定接点５１と、可動接触子４０の下端部に固着された可動接点４１とで構成される。
【０００６】
連動レバー３２は絶縁性の合成樹脂成形品からなり、プランジャ２７の先端部に取り付けた軸ピン３３が、本体部３２ａの軸孔３２ｂに挿入されることによって、プランジャ２７の先端部に回転自在に連結されている。また連動レバー３２は、有極電磁石のコイル枠（図示せず）に保持された軸ピン（図示せず）を、本体部３２ａの中間部に設けられた軸孔３２ｅに挿入させることによって、コイル枠に回転自在に支持されている。したがって、コイルへの通電方向に応じて、プランジャ２７が図８（ｃ）中の左右方向に進退することによって、連動レバー３２は軸孔３２ｅに挿入された軸ピンを中心として揺動するのである。
【０００７】
図８（ｃ）に示すように、連動レバー３２の本体部３２ａの左側には長尺の板金からなる可動接触子４０が配置されており、可動接触子４０との対向面が開口する略コ型のばね受け部３８が本体部３２ａと一体に設けられている。ばね受け部３８は、コイルばねからなる接圧ばね３５の一端部を保持する。接圧ばね３５の他端は、本体部３２ａとばね受け部３８との間に挿入される可動接触子４０に接触する。尚、ばね受け部３８には、接圧ばね３５の一端部内に挿入される突起３８ａが設けられている。
【０００８】
可動接触子４０は長尺の板金からなり、長手方向の一端部（下端部）には可動接点４１が固着され、他端部（上端部）には編組銅線よりなる接続線（図示せず）の一端が接続されている。また、可動接触子４０の長手方向の中間部には、接圧ばね３５のばね座となる突部（図示せず）が設けられ、この突部よりも下方には、連動レバー３２の位置決め突起３２ｃが挿入される貫通孔（図示せず）が設けられている。
【０００９】
連動レバー３２には、位置決め突起３２ｃの側方に、表面が湾曲して可動接触子４０が当接する支点突起３２ｄが設けられており、この支点突起３２ｄに可動接触子４０が当接するようになっている。
【００１０】
ここで、プランジャ２７が図８（ｃ）中の左側へ突出する向きにコイルが通電されると、プランジャ２７の突出に伴って、連動レバー３２が軸孔３２ｅを中心として図８中の時計回りに回転し、可動接点４１が固定接点５１に接触する。ここで、可動接触子４０は支点突起３２ｄに当接しており、接圧ばね３５によって支点突起３２ｄを中心として右回りに回転する力が付与されているから、可動接点４１の固定接点５１に対する接触圧が接圧ばね３５によって得られることになる。
【００１１】
一方、プランジャ２７が図８（ｃ）中の右側へ後退する向きにコイルが通電されると、プランジャ２７の後退に伴って、連動レバー３２が軸孔３２ｅを中心として図８中の反時計回りに回転し、可動接点４１が固定接点５１から開離するのである。
【先行技術文献】
【特許文献】
【００１２】
【特許文献１】特開２００２−１１００１３号公報
【発明の概要】
【発明が解決しようとする課題】
【００１３】
上記構成のリモコンリレーに用いられる連動レバー３２では、接圧を得るための接圧ばね３５の一端部が、ばね受け部３８に保持されている。ここで、ばね受け部３８には突起３８ａが設けられ、コイルばねからなる接圧ばね３５の一端部に突起３８ａを挿入させることによって、接圧ばね３５の一端部がばね受け部３８に保持されている。
【００１４】
ここで、図８（ｄ）に示すように、接圧ばね３５の内径に比べて突起３８ａの大きさが小さいため、接圧ばね３５のコイル線と突起３８ａの間には隙間が生じ、この隙間の分だけ接圧ばね３５の一端側は上下方向Ｄ１及び幅方向Ｄ２に移動できるようになっている。
【００１５】
したがって、プランジャ２７の進退動作に応じて、接圧ばね３５の一端部の位置がずれる可能性があった。接圧ばね３５の一端部の位置がずれると、ばね負荷が変動したり、中間位置で停止したりする可能性があり、接点バウンスの発生によって開閉寿命が短くなる可能性もあった。またリモコンリレーの組立時においても、接圧ばね３５の一端側が動いて、ばね受け部３８から外れる可能性があり、組立作業がやりにくいという問題もあった。
【００１６】
本発明は上記課題に鑑みて為されたものであり、その目的とするところは、接圧ばねによるばね負荷を安定させ、且つ、組立作業の作業性を向上させたリモコンリレーを提供することにある。
【課題を解決するための手段】
【００１７】
上記課題を解決するために、本発明のリモコンリレーは、電磁石装置と、連動レバーと、可動接触子と、固定接点と、接圧ばねとを備える。電磁石装置は、コイルへの通電に応じてプランジャを進退させる。連動レバーは、プランジャの進退に応じて回転する。可動接触子は、可動接点を有し、連動レバーに保持されてこの連動レバーとともに回転する。固定接点は、可動接触子の回転に応じて可動接点と接触又は開離する。接圧ばねは、コイルばねからなり、連動レバーと一体に設けられたばね受け部に一端側が保持されるとともに、他端側が可動接触子に保持されて、閉極時に接圧を付与する。ばね受け部には、接圧ばねの外周部に当接して接圧ばねの移動を規制する位置規制部が設けられている。本発明のリモコンリレーは上記の構成要素を具備することを特徴とする。
【００１８】
このリモコンリレーにおいて、位置規制部が、可動接触子の回転面内で接圧ばねの外周部に両側から当接する２つのリブで構成されることも好ましい。
【００１９】
また、このリモコンリレーにおいて、位置規制部が、互いに直交する二つの方向においてそれぞれ接圧ばねの外周部に両側から当接するリブで構成されることも好ましい。
【００２０】
また、このリモコンリレーにおいて、接圧ばねの巻線内に挿入されて接圧ばねの一端側を位置決めする突起が、ばね受け部に設けられることも好ましい。
【発明の効果】
【００２１】
本発明によれば、位置規制部が接圧ばねの外周部に当接することで、接圧ばねの移動が規制されるから、接圧ばねの一端側の位置がずれるのを抑制でき、これにより接圧ばねによるばね負荷が安定し、また組立作業の作業性を向上させることができる。
【図面の簡単な説明】
【００２２】
【図１】（ａ）は本実施形態のリモコンリレーに用いられる連動レバーの側面図、（ｂ）はＡ−Ａ断面図、（ｃ）は連動レバーに可動接触子を保持させた状態の側面図、（ｄ）はＢ−Ｂ断面図である。
【図２】同上のリモコンリレーの分解斜視図である。
【図３】同上のリモコンリレーを示し、カバーを外した状態の側面図である。
【図４】同上のリモコンリレーに用いられる有極電磁石の分解斜視図である。
【図５】（ａ）は同上のリモコンリレーに用いられる別の連動レバーの側面図、（ｂ）はＡ−Ａ断面図、（ｃ）は連動レバーに可動接触子を保持させた状態の側面図、（ｄ）はＢ−Ｂ断面図である。
【図６】（ａ）は同上のリモコンリレーを用いる遠隔監視制御システムの概略構成図、（ｂ）はリモコンリレーの内部回路図である。
【図７】同上の遠隔監視制御システムに用いる伝送信号の説明図である。
【図８】（ａ）は従来のリモコンリレーに用いられる連動レバーの側面図、（ｂ）はＡ−Ａ断面図、（ｃ）は連動レバーに可動接触子を保持させた状態の側面図、（ｄ）はＢ−Ｂ断面図である。
【発明を実施するための形態】
【００２３】
本発明の技術思想を、遠隔監視制御システムに用いられるラッチング形のリモコンリレーに適用した実施形態について図１〜図７に基づいて説明する。尚、以下の説明では特に断りがないかぎり、図３に示す向きにおいて上下左右の方向を規定する。
【００２４】
図２はリモコンリレー１の分解斜視図であり、このリモコンリレー１のケース１０は、分電盤協約寸法として規格化されている１個モジュール寸法（単位寸法）に設定されている。このケース１０は、幅方向の一面が開口した略箱状の合成樹脂成形品からなるボディ１１と、ボディ１１の開口を覆う合成樹脂成形品からなるカバー１２とで構成される。ボディ１１およびカバー１２にはそれぞれ複数の組立孔１３，１４が形成されている。これらの組立孔１３，１４にカバー１２側からかしめピン１５を挿入し、ボディ１１におけるカバー１２とは反対側の側面に突出するかしめピン１５の先端部をかしめることによって、ボディ１１とカバー１２とが結合される。
【００２５】
図２及び図３に示すように、ケース１０の内部には、コイルへの通電に応じてプランジャが進退（前進又は後進）する有極電磁石２０（電磁石装置）と、プランジャの進退動作に応じて接点部のオン／オフを切り替える開閉機構部７０が収納されている。
【００２６】
図２〜図４に示すように、有極電磁石２０は、コイル２５と、コイル枠２６と、プランジャ２７と、接極子２８ａ，２８ｂと、レシジュアルプレート２９と、ヨーク３０と、永久磁石２３，２３と、補助ヨーク２４，２４とを主要な構成として備える。
【００２７】
ヨーク３０は、全体として四角筒状をなし、プランジャ２７の進退方向（図３の左右方向）において２分割された２個の分割ヨーク３１Ａ，３１Ｂで構成される。２個の分割ヨーク３１Ａ，３１Ｂは磁性材料により同一の形状に形成されており、矩形板状の中央片３１ａと、中央片３１ａの両側縁から一方向にそれぞれ突出する脚片３１ｂ，３１ｂとで、略コ形に形成されている。各分割ヨーク３１Ａ，３１Ｂの中央片３１ａには、プランジャ２７の前端側又は後端側が挿入される挿入孔３１ｃが設けられている。２個の分割ヨーク３１Ａ，３１Ｂは、プランジャ２７の進退方向に並べて、脚片３１ｂの先端面同士が所定のギャップを介して対向するように配置され、全体として四角筒状をなしている。両分割ヨーク３１Ａ，３１Ｂの脚片３１ｂ，３１ｂの内側面には、永久磁石２３の一方の磁極が、２個の分割ヨーク３１Ａ，３１Ｂに跨るように当接している。この永久磁石２３の他方の磁極には、磁性材料により略板状に形成された補助ヨーク２４の一面が接触している。
【００２８】
２個の補助ヨーク２４は、コイル枠２６に巻き付けられたコイル２５を、上下両側から囲むように配置されている。コイル枠２６は絶縁材料により形成され、コイル２５が巻き付けられた筒状の巻胴部２６ａと、巻胴部２６ａの軸方向両端部に設けられた板状の鍔部２６ｂと、両鍔部２６ｂの上下方向に沿う両側縁から巻胴部２６ａと反対側に突出する板状の側部２６ｃとを備える。巻胴部２６ａの筒内には、磁性材料により形成されたプランジャ２７が、コイル枠２６の軸方向において進退自在に挿入されている。プランジャ２７の両端部は中央部に比べて幅が狭くなっており、磁性材料から矩形板状に形成された接極子２８ａ，２８ｂの嵌合孔にプランジャ２７の左右方向の端部をそれぞれ圧入することで、プランジャ２７の両端部に接極子２８ａ，２８ｂがかしめ固定される。接極子２８ａは、プランジャ２７の前進時に左側の分割ヨーク３１Ａの中央片３１ａに当接することによって、プランジャ２７の前方（図１の左側）への移動範囲を規制する。この時、他方の接極子２８ｂが補助ヨーク２４と接触することで、接極子２８ａ−ヨーク３０−永久磁石２３−補助ヨーク２４−接極子２８ｂ−プランジャ２７の経路で閉磁路が形成されるので、プランジャ２７はその位置で保持される。また接極子２８ｂは、プランジャ２７の後進時に右側の分割ヨーク３１Ｂの中央片３１ａに当接することによって、プランジャ２７の後方（図１の右側）への移動範囲を規制する。この時、他方の接極子２８ａは補助ヨーク２４の左端部に微少なギャップを介して対向し、接極子２８ｂ−ヨーク３０−永久磁石２３−補助ヨーク２４−接極子２８ａ−プランジャ２７の経路で閉磁路が形成されるので、プランジャ２７はその位置で保持される。
【００２９】
ここで、コイル２５は一巻線型であって、コイル２５への通電方向に応じてプランジャ２７が前進又は後進する。そして、接極子２８ａ又は２８ｂがヨーク３０に当接する位置までプランジャ２７が前進又は後進すると、コイル２５への通電が停止されても、永久磁石２３の磁力によってプランジャ２７が停止位置で保持されるのである。
【００３０】
この有極電磁石２０は、図２に示すように、ボディ１１におけるカバー１２との対向面に突設された仕切片１１ａ，１１ｂの間に配置される。有極電磁石２０と仕切片１１ｂとの間には、板ばねよりなる緩衝ばね１６が取り付けられており、有極電磁石２０は仕切片１１ａに押し付けられた状態で収納されている。したがって、緩衝ばね１６で有極電磁石２０が位置決めされるとともに、プランジャ２７の進退に伴う振動が緩衝ばね１６によって緩和されることになる。
【００３１】
次に、有極電磁石２０が備えるプランジャ２７の前進動作又は後進動作に応じて、後述する接点部ｒ１のオン／オフを切り替える開閉機構部７０について説明する。
【００３２】
開閉機構部７０は、プランジャ２７の進退に応じて回転する連動レバー３２と、接圧ばね３５と、切替回路ブロック６０とを主要な構成として備えている。
【００３３】
連動レバー３２は絶縁性の合成樹脂成形品からなり、図１及び図３に示すようにプランジャ２７の先端部（図３中の左端部）に取り付けた軸ピン３３が、本体部３２ａの軸孔３２ｂに挿入されることによって、プランジャ２７の先端部に回転自在に連結される。また連動レバー３２は、コイル枠２６に設けた一対の支持片２６ｄに通された軸ピン３４を、本体部３２ａの中間部に設けた軸孔３２ｅに挿入させることによって、コイル枠２６に回転自在に支持される。ここで、軸ピン３３，３４は互いに平行であって、プランジャ２７が前進又は後進することによって、連動レバー３２が軸ピン３４を中心に揺動するのである。
【００３４】
図１（ｃ）及び図３に示すように、連動レバー３２の本体部３２ａの左側には可動接触子４０が配置されている。可動接触子４０は連動レバー３２に保持され、連動レバー３２の回転動作に応じて、連動レバー３２とともに回転する。可動接触子４０は長尺の板金からなり、長手方向の一端部（下端部）には可動接点４１が固着され、他端部（上端部）には編組銅線よりなる接続線４２の一端が接続されている。この接続線４２の他端は、ケース１０に固定された端子板４３に接続されている。端子板４３には座金付きの端子ねじ４４が取り付けられており、この端子ねじ４４はケース１０の外部に露出している。
【００３５】
連動レバー３２の本体部３２ａには、可動接触子４０との対向面が開口する略コ型のばね受け部３８が一体に設けられている。このばね受け部３８はコイルばねからなる接圧ばね３５の一端側を保持し、接圧ばね３５の他端側は、本体部３２ａとばね受け部３８との間に挿入される可動接触子４０に接触する。ここで、ばね受け部３８には、可動接触子４０との対向面に、接圧ばね３５の一端側の巻線内に挿入される突起３８ａが設けられている。また、ばね受け部３８における可動接触子４０との対向面には、接圧ばね３５の外周部に上下方向の両側から当接する位置にそれぞれリブ３８ｂ，３８ｂが設けられている。また、可動接触子４０の長手方向の中間部には、接圧ばね３５のばね座となる突部４０ａが設けられ、この突部４０ａよりも下方には、連動レバー３２の位置決め突起３２ｃが挿入される貫通孔（図示せず）が設けられている。連動レバー３２には、位置決め突起３２ｃの側方に、表面が湾曲して可動接触子４０が当接する支点突起３２ｄが設けられ、この支点突起３２ｄに可動接触子４０が当接するようになっている。
【００３６】
而して、本体部３２ａに保持された可動接触子４０とばね受け部３８との間に接圧ばね３５を保持させると、接圧ばね３５の両端部に可動接触子４０の突部４０ａとばね受け部３８の突起３８ａとがそれぞれ挿入されて、接圧ばね３５の脱落や外れが抑制される。また、接圧ばね３５の一端側の外周部にリブ３８ｂ，３８ｂが上下方向の両側から当接するので、接圧ばね３５の一端側の位置が上下方向において変動するのを抑制できる。
【００３７】
また連動レバー３２の上端には、ケース１０に開口する表示窓１０ａに臨む表示片３６が一体に設けられている。プランジャ２７の進退動作に応じて連動レバー３２が回転すると、表示窓１０ａから露出する表示片３６の部位が変化する。接点部ｒ１のオン時に表示窓１０ａから露出する表示片３６の部位には例えば「ＯＮ」などの文字が表記され、接点部ｒ１のオフ時に表示窓１０ａから露出する表示片３６の部位には例えば「ＯＦＦ」などの文字が表記されている。さらに、表示片３６において「ＯＮ」、「ＯＦＦ」の文字の間であって、表示窓１０ａから常時露出している部位には、操作溝３６ａが形成されている。而して、ドライバの先端部などの工具を表示窓１０ａに挿入して操作溝３６ａに係合させることによって、ケース１０の外部から連動レバー３２を手動で揺動させることができ、連動レバー３２の手動操作に応じて接点部ｒ１を開閉できるようにしてある。
【００３８】
可動接点４１に対向する固定接点５１は、ボディ１１に取り付けられた固定端子板５０の一端部に固着され、可動接触子４０の回転に応じて可動接点４１と接触又は開離する。固定端子板５０の他端部はケース１０の外部に露出しており、この露出部位には座金付きの端子ねじ５２が取り付けられている。ここにおいて、可動接点４１と固定接点５１とで接点部ｒ１が構成され、本実施形態のリモコンリレー１は１極の接点部ｒ１を備えている。尚、端子板４３と固定端子板５０はケース１０の幅方向に並べて収納されており、両者の間には絶縁性の合成樹脂からなる隔壁１８が取り付けられ、端子板４３と固定端子板５０の間の絶縁を確保している。
【００３９】
ところで、上述した有極電磁石２０のコイル２５は１巻線型であるので、プランジャ２７を進退させるには、コイル２５への通電方向を反転させる必要がある。したがって、図６（ｂ）に示すように、コイル２５には２種類の給電経路を択一的に選択する切替接点ｒ２が接続され、かつ切替接点ｒ２により選択された各給電経路にはそれぞれ逆流阻止要素としてのダイオードＤ１，Ｄ２が接続されている。ダイオードＤ１，Ｄ２における切替接点ｒ２と反対側の端子は共通に接続されている。ダイオードＤ１，Ｄ２は各給電経路を通過する電流が互いに逆向きになる関係に接続され、一方の給電経路で切替接点ｒ２→コイル２５の向きに電流が流れるとすれば、他方の給電経路ではコイル２５→切替接点ｒ２の向きに電流を流すようになっている。また、一方のダイオードＤ２のアノードと切替接点ｒ２の共通接点との間にはコンデンサＣと抵抗Ｒとの直列回路であるリセット用の微分回路が接続される。この回路構成により、有極電磁石２０のコイル２５への通電方向が切り替えられることによって、可動接点４１と固定接点５１とからなる接点部ｒ１を開閉することができる。
【００４０】
上述のようにコイル２５への通電方向が切替接点ｒ２により選択されるから、コイル２５への通電時にプランジャ２７の進退の位置が逆転するような通電方向が選択されるように切替接点ｒ２をプランジャ２７の進退に応じて切り換える必要がある。すなわち、プランジャ２７の進退と切替接点ｒ２とを連動させる必要がある。そこで、このリモコンリレー１では、連動レバー３２に接点操作片３７が設けられ、この接点操作片３７によって切替接点ｒ２の切替操作を行っている。
【００４１】
切替接点ｒ２及びその切替回路を有する切替回路ブロック６０は、有極電磁石２０の上面に載置される樹脂成形品の基台６１に、切替接点ｒ２や、切替接点ｒ２の切替回路が形成された接点基板（図示せず）を保持させている。基台６１には、２枚の固定接点板６３ａ，６３ｂと、各固定接点板６３ａ，６３ｂにそれぞれ対向する可動接点板６４ａ，６４ｂとが取り付けられている。この基台６１の周部には切欠６１ａが設けられ、コイル枠２６から上方に突設されたリブ２６ｆを切欠６１ａに係合させた状態で、両者を熱着することによって、基台６１がコイル枠２６に固定される。可動接点板６４ａ，６４ｂは、略コ形の接点支持板６４の両脚片にそれぞれ設けられ、対応する固定接点板６３ａ，６３ｂに対して接触する向きのばね力を有している。ここで、連動レバー３２の接点操作片３７は可動接点板６４ａ，６４ｂの間に挿入されている。そして、連動レバー３２がプランジャ２７の進退に伴って揺動すると、連動レバー３２の前進位置及び後進位置では、何れか一方の可動接点板６４ａ，６４ｂが接点操作片３７に押されて、固定接点板６３ａ，６３ｂから離れ、通電方向が切り替えられるのである。
【００４２】
また基台６１には一対のコイル端子板６５が取り付けられ、各コイル端子板６５には座金付きの端子ねじ６６が設けられている。したがって、コイル端子板６５を通して入力される外部信号を受けてコイル２５に通電すると、通電方向に応じてプランジャ２７が進退するのである。
【００４３】
次に、このリモコンリレー１の動作を説明する。まず、プランジャ２７が前方（図３中の左側）へ突出する向きにコイル２５が通電されると、プランジャ２７の突出に伴って連動レバー３２が軸ピン３３を中心として図３中の時計回りに回転し、可動接点４１が固定接点５１に接触する。ここで、図１（ｃ）及び図３に示すように、可動接触子４０は支点突起３２ｄに当接し、接圧ばね３５によって支点突起３２ｄを中心として右回りに回転する力が付与されているから、可動接点４１の固定接点５１に対する接触圧が得られることになる。また、連動レバー３２の回転に伴い、可動接点板６４ｂが接点操作片３７に押されることによって、可動接点板６４ｂが固定接点板６３ｂから離れた状態となる。この時、コイル２５への通電方向としてプランジャ２７を後進させる向きのみが許可された状態になるため、コイル２５への通電が停止されるが、永久磁石２３の磁力によって、接点部ｒ１の閉極状態が維持される。
【００４４】
一方、コイル２５への通電方向を反転させると、プランジャ２７が後進、つまり図３中の右側に移動して、連動レバー３２が軸ピン３３を中心に図３中の反時計回りに回転するから、可動接点４１が固定接点５１から離れて接点部ｒ１が開極する。また、連動レバー３２の回転に伴い、可動接点板６４ａが接点操作片３７に押されることによって、可動接点板６４ａが固定接点板６３ａから離れた状態となる。この時、コイル２５への通電方向としてプランジャ２７を前進させる向きのみが許可された状態となるため、コイル２５への通電が停止されるが、永久磁石２３の磁力によって、接点部ｒ１の開極状態が維持される。
【００４５】
上述のように、リモコンリレー１は、コイル２５への通電に応じてプランジャ２７が進退する有極電磁石２０と、プランジャ２７の進退に応じて回転する連動レバー３２と、連動レバー３２に保持されて連動レバー３２とともに回転する可動接触子４０を備えている。この連動レバー３２には、接点の閉極時に接圧を与える接圧ばね３５の一端側を保持するばね受け部３８が一体に設けられ、接圧ばね３５の他端側は可動接触子４０に保持されている。そして、ばね受け部３８には、接圧ばね３５の外周部に当接して接圧ばね３５の移動を規制するリブ３８ｂ（位置規制部）が設けられている。
【００４６】
これにより、リブ３８ｂが接圧ばね３５の外周部に当接して、接圧ばね３５の移動が規制されるから、接圧ばね３５の一端側の位置がずれるのを抑制できる。したがって、接圧ばね３５によるばね負荷が安定するとともに、組立時に接圧ばね３５の位置ずれが抑制されるから、組立作業の作業性を向上させることができる。
【００４７】
また本実施形態では、ばね受け部３８に、位置規制部を構成するリブ３８ｂに加えて、接圧ばね３５の巻線内に挿入される突起３８ａが設けられている。
【００４８】
これにより、接圧ばね３５の巻線内に突起３８ａを挿入させることで、接圧ばね３５の脱落や外れが起こりにくくなるという効果がある。
【００４９】
また本実施形態では、図１（ｂ）に示すように、可動接触子４０と対向するばね受け部３８の面において、可動接触子４０の回転方向（すなわち上下方向）における両側から接圧ばね３５の外周部に当接する位置にそれぞれリブ３８ｂ，３８ｂが設けられている。
【００５０】
したがって、リブ３８ｂ，３８ｂが回転方向（上下方向）の両側から接圧ばね３５の外周部に当接するので、接圧ばね３５の一端側の位置が上下方向（図１（ｄ）の矢印Ｄ１の方向）、すなわち可動接触子４０の回転方向において変動するのを抑制できる。よって、プランジャ２７の進退に応じて可動接触子４０が連動レバー３２とともに回転した場合でも、接点ばね３５の一端側の位置がずれにくくなり、接圧ばね３５によるばね負荷を安定させることができる。なお、接圧ばね３５の一端側の位置は、矢印Ｄ１の方向と直交する方向（図１（ｄ）の左右方向）においては位置決めされていないが、可動接触子４０の回転方向とは異なるため、この方向において接圧ばね３５の一端側の位置はずれにくいものと考えられる。また、リブ３８ｂは図１（ｄ）中の左右方向（矢印Ｄ２の方向）に延びているので、連動レバー３２を樹脂成形する場合、矢印Ｄ２の方向に金型を分離させるようにすれば、リブ３８ｂを作製するためにスライドコアを使用する必要がなく、金型加工が容易になる。
【００５１】
ところで、図５（ａ）〜（ｄ）に示すように、可動接触子４０と対向するばね受け部３８の面に、上記のリブ３８ｂ，３８ｂに加えて、左右方向（図中の矢印Ｄ２の方向）の両側から接圧ばね３５の外周部に当接するリブ３８ｃ，３８ｃが設けられることも好ましい。ここで、リブ３８ｂ，３８ｂは、上下方向（すなわち可動接触子４０の回転方向）Ｄ１における両側から接圧ばね３５の外周部に当接している。したがって、各２個のリブ３８ｂ，３８ｃは、互いに直交する２つの方向Ｄ１，Ｄ２においてそれぞれ両側から接圧ばね３５の外周部に当接することになる。
【００５２】
このように、接圧ばね３５の一端側の外周部に四方からリブ３８ｂ，３８ｃが当接するから、接圧ばね３５の一端側の位置ずれをさらに抑制でき、接圧ばね３５によるばね負荷をさらに安定させることができる。
【００５３】
なお、上記の実施形態では、接圧ばね３５の外周部に当接する位置規制部として、直線状に延びるリブ３８ｂ，３８ｃを設けているが、図５（ｅ）に示すように点状の突部３８ｄを接圧ばね３５の外周部の沿って一定間隔で複数形成しても良い。この場合も、接圧ばね３５の外周部に突部３８ｄが当接することで、接圧ばね３５の位置ずれが規制され、接圧ばね３５によるばね負荷を安定させることができる。また上記の実施形態では、位置規制部としてのリブ３８ｂ，３８ｃ又は突起３８ｄに加えて、接圧ばね３５の巻線内に挿入される突起３８ａがばね受け部３８に設けられているが、突起３８ａを無くして位置規制部のみが設けられていてもよい。
【００５４】
次に、上述のリモコンリレー１が使用される遠隔監視制御システムについて図６（ａ）及び図７を参照して説明する。
【００５５】
図６（ａ）は遠隔監視制御システムの概略的なシステム構成図である。本システムでは、２線式の伝送線Ｌ１に、伝送ユニット１００と、操作スイッチＳＷ１，ＳＷ２の状態を監視する操作用端末器１０１と、上述のリモコンリレー１により照明器具のような負荷１０４への給電を制御する制御用端末器１０２とが接続されている。ここで、図６（ａ）中の１０３はリレー駆動用の電源トランスである。尚、図６（ａ）のシステム構成図では、操作用端末器１０１および制御用端末器１０２が１台ずつしか接続されていないが、各端末器１０１，１０２の台数はシステムの規模に応じて適宜変更が可能である。
【００５６】
この遠隔監視制御システムでは、伝送ユニット１００から図７（ａ）に示すような形式を有した伝送信号Ｖｓを送出することにより、各端末器１０１，１０２との間でデータの授受を行う。伝送信号Ｖｓは、スタートパルスＳＴ、信号のモードを示すモードデータＭＤ、アドレスデータＡＤ、負荷１０４の制御内容を示す制御データＣＤ、エラー訂正符号ＣＳ、各端末器１０１，１０２から返送信号を返送するための返送待機期間ＷＴからなる。この伝送信号Ｖｓは複極性（±２４Ｖ）の時分割多重信号であり、パルス幅変調によってデータが伝送される。
【００５７】
各端末器１０１，１０２では、２線式の伝送線Ｌ１を介して受信された伝送信号ＶｓのアドレスデータＡＤに含まれるアドレスが、予め設定された自己のアドレスと一致したときに、その伝送信号Ｖｓの制御データＣＤを取り込む。また各端末器１０１，１０２は、受信した伝送信号Ｖｓが自機宛ての場合、伝送信号Ｖｓの返送待機期間ＷＴに同期して返送信号を電流モード信号（伝送線Ｌ１の線間を適当な低インピーダンスを介して短絡して送出される信号）として返送する。
【００５８】
操作用端末器１０１では、監視対象の操作スイッチＳＷ１，ＳＷ２が操作されると、通常時に伝送されてくる伝送信号Ｖｓ（図７（ｂ）参照）のスタートパルスＳＴに同期して、図７（ｃ）に示すように割り込み信号Ｖｉを電流モードにより送出する。
【００５９】
つまり伝送ユニット１００は、信号送信手段と、割り込み処理手段とを備え、信号送信手段により、モードデータＭＤをポーリングモードとして常時監視する対象の端末器或いはダミーのアドレスデータＡＤを持つ伝送信号Ｖｓを常時送出する。また、ポーリングモードにおいて割り込み信号Ｖｉが受信されると、伝送ユニット１００の割り込み処理手段はグループアドレスを持つ伝送信号Ｖｓを順次送信し、割り込み信号Ｖｉを送信した操作用端末器１０１を検出する。尚、グループアドレスとは、操作用端末器１０１をグループ単位で識別するために用いられるアドレスである。
【００６０】
割り込み信号Ｖｉを送出した操作用端末器１０１は、自己が属するグループアドレスのアクセス時に自己のアドレスを返送待機期間ＷＴに返送信号として返送する。この返送信号を受信した伝送ユニット１００では、送られてきたアドレスデータをもとに割り込み信号Ｖｉを発生した操作用端末器１０１を特定する。割り込みをかけた端末器が特定されると、伝送ユニット１００は、この操作用端末器１０１をアクセスする伝送信号Ｖｓを送出し、当該操作用端末器１０１から返送待機期間ＷＴに操作スイッチＳＷ１…の操作データを監視データとして返送させる。
【００６１】
伝送ユニット１００では、一連の割り込み処理を経て監視データを受信すると、当該操作用端末器１０１と予め対応付けられた制御用端末器１０２への制御データＣＤを監視データに基づいて作成する。そして、伝送ユニット１００は、作成した制御データＣＤを、当該制御用端末器１０２のアドレスデータＡＤとともに伝送信号Ｖｓにより時分割多重伝送する。この伝送信号Ｖｓによりアクセスされた制御用端末器１０２は、制御データＣＤの制御内容に応じたリモコンリレー１を制御駆動して、そのリレー接点により負荷１０４への電源供給をオン／オフする。
【００６２】
このように遠隔監視制御システムでは操作用端末器１０１の操作スイッチＳＷ１…の操作に応じて、対応する制御用端末器１０２によりリモコンリレー１を介して負荷１０４への電源供給をオン／オフすることができるのである。
【符号の説明】
【００６３】
１  リモコンリレー
２０  有極電磁石（電磁石装置）
２５  コイル
２７  プランジャ
３２  連動レバー
３３，３４  軸ピン
３５  接圧ばね
３８  ばね受け部
３８ａ  突起
３８ｂ，３８ｃ  リブ（位置規制部）
３８ｄ  突部（位置規制部）
４０  可動接触子
４１  可動接点
５１  固定接点
【図１】
2011249138.tif 000003
【図２】
2011249138.tif 000004
【図３】
2011249138.tif 000005
【図４】
2011249138.tif 000006
【図５】
2011249138.tif 000007
【図６】
2011249138.tif 000008
【図７】
2011249138.tif 000009
【図８】
2011249138.tif 000010